(57)【要約】      （修正有）【課題】対象床面等の水平精度を要求せず、工事工数も少なく工事費等コストが安価な免震装置を提供する。【解決手段】面又は線で構成された凸部２が配置されたベース板１と平面滑走板３を重ね組み合わせる構造を有する。面又は線で構成された凸部２が配置されたベース板１を対象床面等に張り付け、上面に平面滑走板３を重ねる事により、地震時には滑走でき、免震の働きをする。全体の高さ（厚み）低く出来、市販のすべり板を使用する事により、価格も格安にできる。【選択図】図８
0003183707.tif 000002
【実用新案登録請求の範囲】
【請求項１】
面又は線で構成された凸部（２）が配置されたベース板（１）と平面滑走板（３）を重ね組み合わせる構造の免震装置。
【考案の詳細な説明】
【技術分野】
【０００１】  この考案は、面又は線で構成された凸部（２）が配置されたベース板（１）と平面滑走板（３）を重ね組み合わせる構造であり、面又は線で構成された凸部（２）が配置されたベース板（１）を対象床面等に張り付け、上面に平面滑走板（３）を重ねる事により、地震時には低摩擦により滑走でき、免震の働きをする。全体の高さ（厚み）低く出来る、免震装置である。
【背景技術】
【０００２】  従来の技術の欠点は、上面の従来の平面滑走板（６）と従来の凸部が配置されたベース板（５）を同じ上下に重ねて工事するため、従来の凸部が配置されたベース板（５）の厚み程度の凹凸が在ると、上面の従来の平面滑走板（６）が衝突してしまい、免震の効果が無なってしまう。対象床面等の水平精度が要求される。
【先行技術文献】
【０００３】
【考案の概要】
【考案が解決しようとする課題】
【０００４】  従来の技術に対し、対象床面等の水平精度を要求されない物、工事工数も少なく工事費等コストが下げたい。また、従来の平面滑走板（６）と従来の凸部が配置されたベース板（５）等が高額の為、安価な物を要望されている。
【課題を解決するための手段】
【０００５】  面又は線で構成された凸部（２）が配置されたベース板（１）と平面滑走板（３）を同じ上下位置に重ねず、面又は線で構成された凸部（２）が配置されたベース板（１）の４枚の交差点（８）に、平面滑走板（３）の中心を重ねていく。これにより、厚み程度の凹凸が在っても、面又は線で構成された凸部（２）が配置されたベース板（１）と平面滑走板（３）と衝突は無くなる。また、面又は線で構成された凸部（２）が配置されたベース板（１）に従来周知された市販すべり板を使用する。また、面又は線で構成された凸部（２）が配置されたベース板（１）の上面外周に勾配を付けることにより、さらに、面又は線で構成された凸部（２）が配置されたベース板（１）と平面滑走板（３）と衝突は少なくなるため、対象床面等の水平精度も下げる事が出来る。
【考案の効果】
【０００６】  面又は線で構成された凸部（２）が配置されたベース板（１）と平面滑走板（３）の組み合わせにより、面又は線で構成された凸部（２）が配置されたベース板（１）上のワークに適度な摩擦係数により、平常時はほぼ動かず、大地震発生時のみ免震機能が働き、免震の効果が多大である。面又は線で構成された凸部（２）が配置されたベース板（１）と平面滑走板（３）を同じ上下位置に重ねず、面又は線で構成された凸部（２）が配置されたベース板（１）の４枚の交差点（８）に、平面滑走板（３）の中心を重ねていく。これにより、厚み程度の凹凸が在っても、面又は線で構成された凸部（２）が配置されたベース板（１）と平面滑走板（３）と衝突は無くなるため、対象床面等の水平精度もたいして要求されず、工事工数も少なくなり、当然工事費等コストが大変安価になる。また、面又は線で構成された凸部（２）が配置されたベース板（１）に従来周知された市販すべり板を使用する事により、材料価格も格安にする事ができる。また、面又は線で構成された凸部（２）が配置されたベース板（１）の上面外周に勾配（４）を付けることにより、平面滑走板（３）と衝突は少なくなるため、対象床面等の水平精度も下げる事になり、さらに工事のコストダウンに貢献出来る。本考案は以上の構成・工法からなる免震装置である。
【図面の簡単な説明】
【０００７】
【図１】  実施図…面又は線で構成された凸部（２）が「線で構成された凸部」配置されたベース板（１）の断面図
【図２】  実施図…面又は線で構成された凸部（２）が「線で構成された凸部」配置されたベース板（１）の平面図
【図３】  実施図…面又は線で構成された凸部（２）が「面で構成された凸部」配置されたベース板（１）の断面図
【図４】  実施図…面又は線で構成された凸部（２）が「面で構成された凸部」配置されたベース板（１）の平面図
【図５】  実施図…面又は線で構成された凸部（２）が配置されたベース板（１）の上面外周勾配断面図
【図６】  実施図…上面の従来の平面滑走板（６）と従来の凸部が配置されたベース板（５）を同じ上下に重ねた工法の断面図
【図７】  実施図…平面滑走板（３）４枚の交差点（８）に、面又は線で構成された凸部（２）が配置されたベース板（１）の中心を重ね工法
【図８】  実施図…本考案の実施状態図
【考案を実施するための形態】
【０００８】  ［１］考案の構造を説明すれば、面又は線で構成された凸部（２）が配置されたベース板（１）と平面滑走板（３）を重ね組み合わせる構造であり、面又は線で構成された凸部（２）が配置されたベース板（１）を対象床面等に両面テープ・接着剤等で張り付け、上面に平面滑走板（３）を重ね、平面滑走板（３）同志をテープ等で張り付け、ズレ留め一体化し、その上面に鋼板・カーペット・床材を設置又は張り付ける。その上面に載せられたワークは、摩擦係数により、平常時はほぼ動かず、大地震発生時のみ免震機能が働き免震の効果が多大となる。全体の高さ（厚み）も低くできる免震装置である。
［２］面又は線で構成された凸部（２）が配置されたベース板（１）凸部は線状凸部・面状凸部が考えられる。
［３］面又は線で構成された凸部（２）が配置されたベース板（１）は従来周知された市販すべり板を使用する事もできる。
［４］面又は線で構成された凸部（２）が配置されたベース板（１）は、平ら板に円盤状の面状凸部を取り付けた物、面状凸部状に加工した物。線状凸部・面状凸部を低摩擦材料の物を取り付けた物。面状凸部を取り付けた物に表面処理した物が考えられるし、その他制作物は任意の物が考えられる。
［５］面又は線で構成された凸部（２）が配置されたベース板（１）の上面外周勾配は厚板のベース板（１）を使用して勾配加工した物。薄い板を勾配に折り曲げた物、その場合は裏板（７）をあてるとよい。あるいは、面又は線で構成された凸部（２）が配置されたベース板（１）は平面板で、その場合平面滑走板（３）を厚板を使用して、勾配加工をする。その他、勾配に関しては、任意の方法が考えられる。
［６］面又は線で構成された凸部（２）が配置されたベース板（１）及び平面滑走板（３）の素材は鋼材・ステンレス材・その他任意の素材が考えられる。
［７］面又は線で構成された凸部（２）が配置されたベース板（１）の凸部は張り付け・機械加工・プレス成形・溶接取り付け・その他任意の方法がある。凸部の「面形状」も丸、角。楕円、変形、サイズも任意であるし、「線」も長短任意である。
［８］凸部の取り付けの場合、材質も鋼材・ステンレス、アルミ、アルミ合金、各表面処理、メッキ、樹脂、カーボン、チタン、オイレス板、その他任意に考えられる。
【符号の説明】
【０００９】面又は線で構成された凸部（２）．ベース板（１）．平面滑走板（３）上面外周に勾配（４）．従来の凸部が配置されたベース板（５）．従来の平面滑走板（６）．裏板（７）．４枚の交差点（８）．ワーク（９）  テープ（１０）
【図１】
0003183707.tif 000003
【図２】
0003183707.tif 000004
【図３】
0003183707.tif 000005
【図４】
0003183707.tif 000006
【図５】
0003183707.tif 000007
【図６】
0003183707.tif 000008
【図７】
0003183707.tif 000009
【図８】
0003183707.tif 000010